(57)【特許請求の範囲】
【請求項１】
蒸発器及び膨張弁を有する冷媒回路を備え、前記蒸発器と熱交換した冷気を送風機により貯蔵室内に循環して成る冷却貯蔵庫において、
前記蒸発器の冷媒入口温度及び冷媒出口温度と、所定の過熱度設定値とに基づいて前記膨張弁の弁開度を制御するコントローラを備え、
該コントローラは、前記蒸発器の霜取終了後における前記送風機の起動遅延期間中、前記過熱度設定値を上昇させることを特徴とする冷却貯蔵庫。
【発明の詳細な説明】
【技術分野】
【０００１】
本発明は、蒸発器及び膨張弁を有する冷媒回路を備えた冷却貯蔵庫に関するもの、特に、膨張弁の開度制御に関するものである。
【背景技術】
【０００２】
従来よりスーパーマーケット等の店舗には、商品を陳列販売する冷蔵或いは冷凍用のオープンショーケースや扉付きのショーケースなどの低温ショーケースや、商品をバックヤードにおいて冷却貯蔵するプレハブ冷却貯蔵庫などが設置されている。係る冷却貯蔵庫に設けられる冷凍サイクルは、例えば、特許文献１に示す如く、圧縮機と、凝縮器と、液電磁弁と、膨張弁と、蒸発器などを冷媒配管にて環状に接続することにより構成されていた。
【特許文献１】特開平５−２９６６１４号公報
【発明の開示】
【発明が解決しようとする課題】
【０００３】
この場合、蒸発器の入口側には膨張弁が設けられ、蒸発器における冷媒の過熱度を最適値になるように調整していた。この膨張弁は温度式（機械式）が採用されている場合があり、これは蒸発器の出口側の冷媒温度に応じてベローズが弁開度を調整するものであったため、過熱度の調整のみの役割を果たしていた。そのため、全閉することが困難であったため、膨張弁近傍において、冷媒配管を全閉可能とする液電磁弁などが設けられていた。
【０００４】
一方で、近年ではステッピングモータなどの駆動装置を用いた電子膨張弁（若しくは、電動膨張弁）が開発されており、係る電子膨張弁によれば弁開度の細かな制御を実現可能と共に、冷媒配管を全閉可能とする。
【０００５】
そこで、従来の冷却貯蔵庫において採用されていた機械式の膨張弁を電子膨張弁に換装することにより、精度の高い冷却制御を実現することが考えられる。しかし、従来の冷却貯蔵庫における制御装置は、機械式膨張弁が設けられていることを前提としているため、膨張弁の開度制御を行う機能を有していない。
【０００６】
係る場合には、別途膨張弁の開度制御を行う膨張弁制御手段を備え、既存の制御装置から入力される温調用ＯＮ／ＯＦＦデータ（サーモ信号）や霜取り信号、非冷信号に基づいて膨張弁を開閉制御すると共に、当該膨張弁の開度を膨張弁制御手段に入力される蒸発器の冷媒入口温度及び冷媒出口温度から算出される過熱度に基づいて制御することとなる。
【０００７】
冷却貯蔵庫において霜取り運転を実行した際、霜取り終了後は蒸発器の温度が上昇しているため、庫内温度の上昇を抑制すべく一定時間冷却器用送風機の運転が遅延される。この場合、既存の制御装置において、霜取り信号が各膨張弁制御装置に入力されなくなると、それぞれの膨張弁制御装置は、冷却運転が開始されたものとして、膨張弁の過熱度制御を実行する。
【０００８】
しかし、当該冷却器用送風機が停止された状態で、膨張弁の過熱度制御が実行されると、弁開度が大きくなる可能性があり、係る場合には、蒸発器内に液冷媒が滞留して液バックを招来する問題がある。
【０００９】
本発明は従来の技術的課題を解決するために成されたものであり、既存の制御装置を用いつつ、各膨張弁に設けられる制御装置によって膨張弁の開度を制御し、適切な冷却運転を実現することができる冷却貯蔵庫を提供する。
【課題を解決するための手段】
【００１０】
本発明の冷却貯蔵庫は、蒸発器及び膨張弁を有する冷媒回路を備え、蒸発器と熱交換した冷気を送風機により貯蔵室内に循環して成るものであって、蒸発器の冷媒入口温度及び冷媒出口温度と、所定の過熱度設定値とに基づいて膨張弁の弁開度を制御するコントローラを備え、該コントローラは、蒸発器の霜取終了後における送風機の起動遅延期間中、過熱度設定値を上昇させることを特徴とする。
【発明の効果】
【００１１】
本発明によれば、蒸発器及び膨張弁を有する冷媒回路を備え、蒸発器と熱交換した冷気を送風機により貯蔵室内に循環して成る冷却貯蔵庫において、蒸発器の冷媒入口温度及び冷媒出口温度と、所定の過熱度設定値とに基づいて膨張弁の弁開度を制御するコントローラを備え、該コントローラは、蒸発器の霜取終了後における送風機の起動遅延期間中、過熱度設定値を上昇させるので、霜取によって高温とされた蒸発器の冷媒入口温度及び冷媒出口温度と所定の過熱度設定値に基づいてコントローラが膨張弁の弁開度を拡張することなく、霜取終了後の送風機起動遅延期間中は、上昇された過熱度設定値に基づいて膨張弁の開度を絞る方向に制御することができる。
【００１２】
これにより、蒸発器内に液冷媒が滞留して液バックを招来する不都合を未然に回避することが可能となる。
【発明を実施するための最良の形態】
【００１３】
以下、図面を参照して本発明の実施形態について詳述する。図１は本発明を適用した冷却貯蔵庫１の冷媒回路図、図２は主コントローラＣ及び各膨張弁コントローラ１５、１６の概略電気ブロック図である。本実施例の冷却貯蔵庫１は、例えばスーパーマーケットなどの店舗内に据え付けられる冷蔵オープンショーケースであり、ここでは、２台（これに限定されず、複数台）のショーケース２、３が連結して設置されている。
【００１４】
当該冷却貯蔵庫１を冷却する冷却装置Ｒは、店舗外に設置された冷凍機４を備え、この冷凍機４と店舗内に設置されたショーケース２、３との間に渡って冷媒回路５が配管接続されている。
【００１５】
この冷媒回路５は、冷凍機４側に設置された圧縮機７、放熱器としての凝縮器８、ショーケース２内に設定されて貯蔵室２Ａ内を冷却する蒸発器９と、ショーケース３内に設定されて貯蔵室３Ａ内を冷却する蒸発器１１と、これら蒸発器９、１１内に流入する冷媒量を制御する減圧装置としての電子膨張弁１０、１２と、図示しないドライヤやアキュムレータ等から構成される。
【００１６】
圧縮機７の吐出側は凝縮器８の入口に接続されており、凝縮器８の出口は、三方弁を介して分岐されており、分岐した一方の配管は、ショーケース２の電子膨張弁１０の入口側に接続され、電子膨張弁１０の出口は、貯蔵室２Ａ内を冷却する蒸発器９の入口に接続されている。分岐した他方の配管は、ショーケース３の電子膨張弁１２の入口側に接続され、電子膨張弁１２の出口は、貯蔵室３Ａ内を冷却する蒸発器１１の入口に接続されている。そして、蒸発器９、１１の出口は合流した後、圧縮機７の吸込側に接続されている。
【００１７】
尚、図中２１は、蒸発器９近傍に設けられて蒸発器９と熱交換した冷気をショーケース２の貯蔵室２Ａ内に循環する蒸発器用送風機、２２は、蒸発器１１の近傍に設けられる蒸発器用送風機である。
【００１８】
上記電子膨張弁１０、１２はステッピングモータによって弁開度を高精度に調整することができる膨張弁である。各電子膨張弁１０、１２は、詳細は後述する膨張弁コントローラ１５、１６により、全閉と全開の間でその弁開度を所定ステップずつ調整可能とされている。
【００１９】
蒸発器１０の配管の冷媒入口側には、冷媒入口温度を検出する温度センサ１７が設けられていると共に、蒸発器１０の配管の冷媒出口側には、冷媒出口温度を検出する温度センサ１８が設けられている。同様に、蒸発器１２にも冷媒入口温度を検出する温度センサ１９と、冷媒出口温度を検出する温度センサ２０が設けられている。これら温度センサ１９、２０は電子膨張弁１２を制御する膨張弁コントローラ１６に接続されている。
【００２０】
図中Ｃは、汎用のマイクロコンピュータにより構成された主コントローラである。当該主コントローラＣの入力側には、冷却貯蔵庫１を構成する一方のショーケース２の貯蔵室２Ａ内の温度を検出する主温度センサ３０及び貯蔵室２Ａ、２Ｂの設定温度等を入力するコントロールパネル２７が接続されており、出力側には、冷却貯蔵庫１の圧縮機７、各凝縮器用送風機２１、２２が接続されている。また、この主コントローラＣには、各膨張弁コントローラ１５、１６にサーモＯＮ／ＯＦＦデータ、霜取信号、非冷信号を送信する信号線２３、２４が接続されている。
【００２１】
膨張弁コントローラ１５は、汎用のマイクロコンピュータにより構成されており、その入力側には、上記主コントローラＣからサーモＯＮ／ＯＦＦデータ、霜取信号、非冷信号を入力する信号線２３と、蒸発器９の冷媒入口温度及び冷媒出口温度を検出する温度センサ１７、１８と、蒸発器９により冷却される貯蔵室２Ａ内の領域の温度を検出する膨張弁用温度センサ２５が接続されている。
【００２２】
同様に、膨張弁コントローラ１６は、汎用のマイクロコンピュータにより構成されており、その入力側には、上記主コントローラＣからサーモＯＮ／ＯＦＦデータ、霜取信号、非冷信号を入力する信号線２４と、蒸発器１１の冷媒入口温度及び冷媒出口温度を検出する温度センサ１９、２０と、蒸発器１１により冷却される貯蔵室３Ａ内の領域の温度を検出する膨張弁用温度センサ２６が接続されている。
【００２３】
これら膨張弁コントローラ１５及び１６は、各温度センサ１８、２０が検出する冷媒出口温度から温度センサ１７、１９が検出する冷媒入口温度を差し引くことで蒸発器９又は１１における冷媒の過熱度を算出する。
【００２４】
（通常の冷却制御）
以上の構成により、主コントローラＣは、一方の貯蔵室２Ａ内の領域に設けられる主温度センサ３０により検出される庫内温度に基づき、コントロールパネル２７によって設定された設定温度（例えば５℃等の冷蔵温度）の上に設定された上限温度（ＯＮ点）に達した場合に圧縮機７を起動し、当該設定温度（ＯＦＦ点）まで低下した場合に圧縮機７を停止する。このとき、主コントローラＣは、主温度センサ３０により検出される庫内温度が上限温度に達した場合、各膨張弁コントローラ１５、１６にサーモＯＮ信号を送信し、検出される庫内温度が設定温度に達した場合、各膨張弁コントローラ１５、１６にサーモＯＦＦ信号を送信する。
【００２５】
圧縮機７が起動されると、圧縮されて高温となった冷媒ガスは凝縮器８で放熱して液化する。主コントローラＣから各膨張弁コントローラ１５、１６にサーモＯＮ信号が送信されることで、各膨張弁コントローラ１５、１６は、電子膨張弁１０、１２を開く。これによって、凝縮器８を経た液冷媒は、各電子膨張弁１０、１２で絞られた後、それぞれの蒸発器９、１１に流入して蒸発する。このときの吸熱作用で蒸発器９、１１は冷却効果を発揮する。
【００２６】
蒸発器９、１１と熱交換した冷気は、それぞれの蒸発器用送風機２１、２２によって貯蔵室２Ａ、３Ａ内に循環されるので、冷却貯蔵庫１内（貯蔵室２Ａ、３Ａ内）は、同様の設定温度に冷却維持される。そして、各蒸発器９、１１を出た冷媒は再び圧縮機７に吸い込まれて圧縮される。
【００２７】
ここで、各膨張弁コントローラ１５、１６は、主コントローラＣから信号線２３又は２４によって送信される温調用ＯＮ／ＯＦＦデータ、霜取信号、非冷信号に基づき、各電子膨張弁１０、１２を全閉か、開放するかを制御する。即ち、主コントローラＣから膨張弁コントローラ１５、１６にサーモＯＦＦ信号、霜取信号、非冷信号の何れかが送信された場合、膨張弁コントローラ１５、１６は、電子膨張弁１０、１２を全閉とし、冷却を停止する。他方、主コントローラＣからサーモＯＮ信号が送信された場合、各温度センサ１７、１８、若しくは１９、２０が検出する冷媒入口温度と冷媒出口温度から算出された蒸発器９又は１１の過熱度が冷凍サイクルに最適な目標値となるように電子膨張弁１０、１２の弁開度を調整する。
【００２８】
この場合、電子膨張弁１０、１２の弁開度が小さすぎると過熱度は大きくなり、冷媒は蒸発器９、１１を出る以前に蒸発しきってしまうため、蒸発器９、１１での冷却効果は低下する。一方、電子膨張弁１０、１２の弁開度が大きすぎれば過熱度はマイナスとなり、蒸発器９、１１から未蒸発の冷媒が流出して圧縮機７に吸い込まれる所謂液バック現象が発生するようになる。
【００２９】
各膨張弁コントローラ１５、１６は係る問題が発生しないようにそれぞれの電子膨張弁１０、１２の弁開度を冷凍サイクルの運転上最適な目標値に調整するものであるが、その際の制御方式としてはＰＩＤ制御が用いられる。このＰＩＤ制御は、比例制御（目標値との偏差ｅを無くす方向の制御量を決定）、積分制御（定常的な偏差ｅを無くす方向の制御量を決定）及び微分制御（偏差ｅの変化を無くす方向の制御量の決定）による制御量の合算から最終的な電子膨張弁１０、１２の弁開度の制御量を決定するもので、その際には比例係数ＫP、積分係数ＫI及び微分係数ＫDが必要となる。
【００３０】
各膨張弁コントローラ１５、１６には、予め実験により決定された少なくとも二種類、即ち、プルダウン時において採用される比例係数ＫP、積分係数ＫI及び微分係数ＫDと、通常の冷却運転（サーモサイクル時）において採用される比例係数ＫP、積分係数ＫI及び微分係数ＫDが書き込まれている。
【００３１】
そのため、各膨張弁コントローラ１５、１６は、いずれの比例係数ＫP、積分係数ＫI及び微分係数ＫDを使用するかを当該膨張弁コントローラ１５、１６のそれぞれに接続されている膨張弁用温度センサ２５、２６による検出温度に基づいて決定し、これらを切り替えて各膨張弁１０、１２の弁開度の制御量を決定する。
【００３２】
そして、各膨張弁コントローラ１５、１６は、各係数を用いてＰＩＤ制御を実行し、それぞれの電子膨張弁１０、１２の弁開度を決定して過熱度を目標値に一致させていく。これにより、各電子膨張弁１０、１２によって、精度の良い過熱度制御を実現できるようになる。
【００３３】
（第１の冷却不良発生時における制御）
上記冷却制御を実行している際に、各膨張弁コントローラ１５、１６は、一定時間毎に、異常制御条件を満たしているか否かを判断する。本実施例において、異常制御条件とは、（１）温度センサ１７又は１９が検出する冷媒入口温度が所定の設定温度、例えば０℃以上であること（２）膨張弁コントローラ１５、１６によって算出された過熱度が所定の異常値以下、例えば−３．０℃以下であること（３）電子膨張弁１０、１２の弁開度が予め設定されている下限値であることとする。
【００３４】
即ち、冷媒入口温度が所定の設定温度以上であって、電子膨張弁の弁開度が下限値であるにもかかわらず、当該蒸発器における過熱度が所定値以下、即ち、冷媒入口温度よりも冷媒出口温度が下回っている状況である場合には、過熱度が実際よりも低く算出されており、弁開度が絞りすぎている異常状態が発生したものと判断する。
【００３５】
当該異常状態が発生する原因としては、蒸発器９、１１が設けられる冷媒配管を伝ってくる他方の蒸発器からの熱等の影響によって、蒸発器の冷媒入口温度を検出する温度センサ１７、１９や冷媒出口温度を検出する温度センサ１８、２０が、一時的に実際の冷媒温度よりも低い温度を検出することが考えられる。
【００３６】
この場合には、膨張弁コントローラ１５、１６において、過熱度が実際よりも低く算出され、当該膨張弁コントローラ１５、１６は、液バックが生じる条件でないにもかかわらず膨張弁１０や１２の弁開度を絞ってしまう。これにより、係る蒸発器９又は１１には、十分な冷媒が供給されなくなり、冷却不良が発生する。
【００３７】
本実施例では、上述したように係る異常状態が発生しているか否かを判断し、異常制御条件を満たしているものと判断した膨張弁コントローラ１５、１６は、当該膨張弁１０又は１２の弁開度を拡張する方向、例えば、弁開度の所定の上限値まで開放する。
【００３８】
これにより、蒸発器９又は１１において見かけ上の液バックが生じていることによる異常状態の発生を電子膨張弁１０又は１２の弁開度を拡張することで、当該蒸発器９又は１１に十分な冷媒を供給することが可能となり、冷却不良を改善することができる。
【００３９】
従って、各電子膨張弁１０、１２の弁開度を制御する膨張弁コントローラ１５、１６によって適切な過熱度制御を実現することができ、円滑な冷却運転を実行することが可能となる。
【００４０】
（第２の冷却不良発生時における制御）
また、本実施例において、各膨張弁コントローラ１５、１６、特に、主温度センサ３０が設けられていない領域（本実施例では貯蔵室３Ａ）を冷却する蒸発器１１の膨張弁１２の開度制御を行う膨張弁コントローラ１６は、上記冷却制御を実行している際に、当該膨張弁コントローラ１６に接続されている上記ＰＩＤ制御に用いられていた膨張弁用温度センサ２６により検出される貯蔵室３Ａ内の領域の温度と、主コントローラＣから送信される温調用ＯＮ／ＯＦＦデータとを比較する。
【００４１】
具体的には、膨張弁コントローラ１６は、主コントローラＣから送信される温調用ＯＮ／ＯＦＦデータから把握される貯蔵室２Ａ、３Ａ内の冷却状態と、膨張弁用温度センサ２６が検出する貯蔵室３Ａ内の領域の冷却状態とを比較する。
【００４２】
これら冷却状態が異なる場合、例えば、主コントローラＣから膨張弁コントローラ１６にＯＦＦ信号が送信されており、膨張弁用温度センサ２６により検出される温度が前記上限温度（ＯＮ点）よりも高い場合には、膨張弁コントローラ１６は、電子膨張弁１２を全閉せずに、膨張弁用温度センサ２６に基づき、上記過熱度制御を実行する。
【００４３】
これにより、主温度センサ３０から離間した位置の貯蔵室３Ａ内の領域を冷却する蒸発器１１の電子膨張弁１２を適切に開閉制御することができ、当該領域の冷却不良を未然に回避することが可能となる。
【００４４】
同様に、主コントローラＣから膨張弁コントローラ１６にＯＮ信号が送信されており、膨張弁用温度センサ２６により検出される温度が前記設定温度（ＯＦＦ点）よりも低い場合には、膨張弁コントローラ１６は、過熱度制御を実行せずに、膨張弁用温度センサ２６に基づき、電子膨張弁１２を全閉する。
【００４５】
これにより、主温度センサ３０から離間した位置の貯蔵室３Ａ内の領域を冷却する蒸発器１１の電子膨張弁１２を適切に開閉制御することができ、当該領域の冷えすぎを未然に回避することが可能となる。
【００４６】
従って、複数の蒸発器９、１１によって冷却される貯蔵室２Ａ、３Ａ内の冷却状態の偏りを抑制し、全体を均一に、且つ、適切に冷却することが可能となる。
【００４７】
（温度設定値を変更した際の制御）
次に、図３及び図４を参照してコントロールパネル２７によって貯蔵室２Ａ及び３Ａ内の設定温度を変更した際の制御について説明する。図３は温度変化に対するタイミングチャート、図４は温度設定値の推定条件を示す図である。
【００４８】
本実施例の膨張弁コントローラ１５、１６は、貯蔵室２Ａ、３Ａ内の設定温度を設定する主コントローラＣと通信線によって接続されておらず、主コントローラＣから送信される温調用ＯＮ／ＯＦＦデータ、霜取信号及び非冷信号と、各蒸発器の冷媒温度によって電子膨張弁１０及び１２の弁開度を制御している。そのため、主コントローラＣにおいてコントロールパネル２７により貯蔵室２Ａ、３Ａ内の設定温度が変更された場合であっても、直接的には、膨張弁コントローラ１５、１６における膨張弁１０、１２の弁開度制御に反映されない。
【００４９】
しかし、上述したように、ＰＩＤ制御において膨張弁用温度センサ２５、２６により検出された温度に基づいて用いられる各係数が変更される。この変更も貯蔵室２Ａ、３Ａ内の温度設定値に基づいて行われるため、膨張弁コントローラ１５、１６でも温度設定値の変更を把握する必要がある。
【００５０】
そこで、本実施例では、以下の如く膨張弁コントローラ１５、１６にて温度設定値の修正を行う。まず、膨張弁コントローラ１５及び１６は、主コントローラＣから（１）霜取信号と非冷信号が送信されていないこと（２）温調用ＯＮ／ＯＦＦデータがサーモＯＮ信号からサーモＯＦＦ信号に変化してから所定の遅延時間ｄが経過したことを条件として、当該膨張弁コントローラ１５又は１６に接続されている膨張弁用温度センサ２５、２６により検出された温度を内蔵されるメモリに記憶する。尚、サーモＯＦＦ信号に変化してから所定の遅延時間ｄが経過したことを条件とすることで、確実に霜取信号及び非冷信号に基づくサーモＯＦＦ信号によるものを除外することができる。
【００５１】
そして、図４に示すように所定のサンプリング周期Ｔ（例えば、２時間）毎に、メモリに記憶された膨張弁用温度センサ２５、２６にて検出された庫内温度を監視して、メモリに格納する。一定時間、例えば上記サンプリング周期Ｔの整数倍（ここでは、２４時間）毎に、メモリに格納されたサンプリング周期Ｔ毎の庫内温度の最小値を主コントローラＣに設定されている変更後の温度設定値と推定し、膨張弁コントローラ１５及び１６が自ら保有する温度設定値を当該推定値に修正する。
【００５２】
このとき、図４に示すように一日の冷却運転では、所謂ナイトセットバック（ＮＳＢ。夜間等の省エネ運転時）や、所謂デマンドセットバック（ＤＳＢ。営業時間等における要求に応じた省エネ運転時）、更には、顧客の往来等による外乱の影響（誤差ＴＰ２）による温度変化がある。また、主コントローラＣに接続される主温度センサ３０と膨張弁用温度センサ２５、２６（特に貯蔵室３Ａに設けられる温度センサ２６）との取付位置が離間しているため、これらの取付位置による誤差（ＴＰ１）が生じる。
【００５３】
係るＮＳＢやＤＳＢ、外乱誤差（ＴＰ２）、取付誤差（ＴＰ１）等の影響を除外した上記メモリに格納されたサンプリング周期Ｔ毎の庫内温度の最小値を現在の主コントローラＣにおける温度設定値であるものと膨張弁コントローラ１５及び１６において推定するため、膨張弁コントローラ１５及び１６では、次の式を満たすことを条件として、推定値を得る。
｜推定値−現在の設定値｜≧｜ＴＰ１｜＋｜ＴＰ２｜
【００５４】
そして、膨張弁コントローラ１５、１６は、上述の如く推定値が得られた場合、膨張弁コントローラ１５、１６は、現在保有している温度設定値を今回得られた推定値に修正する。以後、当該修正された温度設定値によって各電子膨張弁１０、１２の過熱度制御を実行する。
【００５５】
これにより、直接、主コントローラＣと膨張弁コントローラ１５、１６とを通信線により接続することなく、庫内の温度状況に応じて電子膨張弁１０、１２の最適な過熱度制御を実現することが可能となる。
【００５６】
特に、本実施例では、推定値を得るためのサンプリング周期Ｔ毎に膨張弁用温度センサ２５、２６により検出されてメモリに格納された庫内温度は、霜取信号及び非冷信号が送信されていない、即ち、サーモサイクルによる冷却運転が行われている際のサーモＯＦＦ時の温度であって、ＮＳＢやＤＳＢ、更には、取付誤差や外乱誤差を除外した温度データに基づいて推定されたものを用いる。
【００５７】
これにより、適切に主コントローラＣによって制御している設定温度（ＯＦＦ点）を膨張弁コントローラ１５、１６のみに接続される膨張弁用温度センサ２５、２６により検出される温度からより正確に推定することが可能となる。従って、従来の機械式膨張弁を電子膨張弁に換装した場合であっても、既存の主コントローラＣを変更することなく、当該電子膨張弁により最適な過熱度制御を実現することが可能となる。
【００５８】
（霜取終了時の制御）
上述した如き冷却運転が行われると、蒸発器９、１１に着霜が成長するため、冷却運転が所定時間経過すると、主コントローラＣは、蒸発器９、１１の霜取運転を行う。ここで、図５の膨張弁１０、１２の弁開度及び過熱度設定値の変化を示す図を参照して説明する。本実施例では、主コントローラＣにより当該霜取運転時間及び所定の水切り時間が経過するまで、膨張弁コントローラ１５、１６に霜取信号を送信し、膨張弁コントローラ１５、１６は、霜取信号に基づいて各電子膨張弁１０、１２を全閉とする（図左側）。また、このとき主コントローラＣは、貯蔵室２Ａ、３Ａ内の温度が上昇することを防止するため、蒸発器用送風機２１、２２の運転を停止する。
【００５９】
これによって、圧縮機７から吐出された高温高圧のガス冷媒は、図示しない電子弁が設けられる除霜用配管を通りバイパス管にて電子膨張弁１０、１２をバイパスして蒸発器９、１１内に流入する。蒸発器９、１１内に流入した冷媒は、そこで潜熱或いは顕熱の一部を放熱して凝縮され、このときの放熱によって蒸発器９、１１は加熱されて蒸発器９、１１に成長した着霜は融解されて行く。
【００６０】
そして、主コントローラＣは、所定の霜取運転時間及び水切り運転時間が終了した後、霜取運転を終了する。このとき、主コントローラＣは、霜取運転終了直後で、蒸発器９、１１の温度が高いことから、蒸発器用送風機２１、２２の起動を所定時間遅延させる。霜取運転終了後、主コントローラＣは、膨張弁コントローラ１５、１６への霜取信号を解除する。
【００６１】
膨張弁コントローラ１５、１６は、霜取信号の解除によって、膨張弁１０、１２の過熱度制御を復帰させる。このとき、膨張弁コントローラ１５、１６には、予め、霜取運転終了後における送風機の起動遅延期間に関するデータが設定されており、霜取信号の終了後、所定の遅延期間中は、通常の冷却運転時における過熱度制御に用いる過熱度設定値よりも所定値だけ過熱度設定値を上昇させる（図５中央）。
【００６２】
そのため、霜取運転終了後は、膨張弁コントローラ１５、１６は、まず、弁クリーニングのため電子膨張弁１０及び１２の開度を最大とする。その後、膨張弁コントローラ１５、１６は、上述した如き冷却運転における過熱度設定値よりも高い過熱度設定値を用いて電子膨張弁１０、１２の過熱度制御を実行する。
【００６３】
そして、当該送風機２１、２２の起動遅延期間経過後に、膨張弁コントローラ１５、１６は、冷却運転における過熱度設定値に戻し、各電子膨張弁１０、１２の過熱度制御を実行する（図５右側）。
【００６４】
このように、霜取運転終了後における送風機２１、２２の起動遅延期間中は、膨張弁コントローラ１５、１６は、通常の冷却運転時における過熱度設定値を上昇させて、電子膨張弁１０、１２の過熱度制御を実行するので、霜取によって高温とされた蒸発器９、１１の冷媒入口温度及び冷媒出口温度と所定の過熱度設定値に基づいて膨張弁コントローラ１５、１６が電子膨張弁１０、１２の弁開度を拡張することなく、上昇された過熱度設定値に基づいて電子膨張弁１０、１２の開度を絞る方向に制御することができる。
【００６５】
従って、蒸発器９、１１内に液冷媒が滞留して液バックを招来する不都合を未然に回避することが可能となる。
【００６６】
当該霜取運転終了後における過熱度設定値を変更した電子膨張弁１０、１２の過熱度制御は、特に、プレハブ冷蔵庫などにおいて、有効である。
【図面の簡単な説明】
【００６７】
【図１】本実施例の冷却貯蔵庫の冷媒回路図である。
【図２】主コントローラ及び各膨張弁コントローラの概略電気ブロック図である。
【図３】温度変化に対するタイミングチャートである。
【図４】温度設定値の推定条件を示す図である。
【図５】膨張弁の弁開度及び過熱度設定値の変化を示す図である。
【符号の説明】
【００６８】
Ｃ    主コントローラ
１    冷却貯蔵庫
２、３  ショーケース
４    冷凍機
５    冷媒回路
７    圧縮機
８    凝縮器
９、１１  蒸発器
１０、１２  電子膨張弁
１５、１６  膨張弁コントローラ
１７、１９  温度センサ（冷媒入口温度）
１８、２０  温度センサ（冷媒出口温度）
２１、２２  蒸発器用送風機
２３、２４  信号線
２５、２６  膨張弁用温度センサ
２７  コントロールパネル
３０  主温度センサ
【図１】
0005055180.tif 000002
【図２】
0005055180.tif 000003
【図３】
0005055180.tif 000004
【図４】
0005055180.tif 000005
【図５】
0005055180.tif 000006